(57)【要約】【課題】保護部品が交換されるときに光源部品が作業主体に触れにくい構造を有する光照射装置を提供する。【解決手段】光照射装置１００は、本体部品１１０、光源部品１６１、保護部品１７０、内部空間１０１、第１支持部１４０、第２支持部１５０、第１交換穴１２１、および第２交換穴１３１を有する。本体部品１１０は、本体側壁１１１、１１２および本体開口部１１６を有する。本体側壁１１１、１１２は、内部空間１０１を形成している。本体開口部１１６は、本体側壁１１１、１１２の一部を構成し、内部空間１０１を外部に開放する。保護部品１７０は、本体開口部１１６を閉塞し、本体部品１１０との結合および分離が可能な構造を有する。交換穴１２１、１３１は、本体側壁１１１、１１２を貫通し、保護部品１７０と隣り合う位置に形成され、保護部品１７０が通過することが可能な大きさを有する。【選択図】図４
2014146587.tif 000002
【特許請求の範囲】
【請求項１】
光照射装置であって、
前記光照射装置は、本体部品、光源部品、保護部品、内部空間、支持部、第１交換穴、および第２交換穴を有し、前記保護部品の交換が可能な構造を有し、
前記本体部品は、本体側壁および本体開口部を有し、
前記本体側壁は、前記内部空間を形成し、
前記本体開口部は、前記本体側壁の一部を構成し、前記内部空間を外部に開放し、
前記光源部品は、前記内部空間に配置され、
前記支持部は、前記本体側壁の一部を構成する部分、および前記本体側壁に結合された部分の少なくとも一方を有し、
前記保護部品は、前記本体開口部を閉塞し、前記本体部品との結合および分離が可能な構造を有し、
前記第１交換穴は、前記本体側壁を貫通し、前記保護部品と隣り合う位置に形成され、前記保護部品が通過することが可能な大きさを有し、
前記第２交換穴は、前記本体側壁を貫通し、前記保護部品と隣り合う位置に形成され、前記保護部品を介して前記第１交換穴と対向する位置に形成され、前記保護部品が通過することが可能な大きさを有する
光照射装置。
【請求項２】
光照射装置であって、
前記光照射装置は、本体部品、光源部品、保護部品、内部空間、および回転部品を有し、前記保護部品の交換が可能な構造を有し、
前記本体部品は、本体側壁および本体開口部を有し、
前記本体側壁は、前記内部空間を形成し、
前記本体開口部は、前記本体側壁の一部を構成し、前記内部空間を外部に開放し、
前記光源部品は、前記内部空間に配置され、
前記保護部品は、前記本体開口部を閉塞し、保護部品結合部を有し、前記保護部品結合部において前記回転部品と結合し、前記回転部品との分離が可能な構造を有し、
前記回転部品は、前記本体側壁に支持され、前記本体部品に対して回転し、前記本体部品に対して少なくとも第１回転位置および第２回転位置を取り、前記保護部品を支持し、第１回転部品結合部および第２回転部品結合部を有し、前記回転部品の周方向において前記回転部品の回転中心線を介して互いに対向する位置に前記第１回転部品結合部および前記第２回転部品結合部を有し、前記第１回転部品結合部および前記第２回転部品結合部の一方において前記保護部品結合部と結合し、
前記第１回転位置は、前記本体開口部の全部が前記保護部品により閉塞され、前記保護部品が前記回転部品よりも前記本体部品の外部側に配置される位置を示し、
前記第２回転位置は、前記本体開口部の全部が前記保護部品により閉塞され、前記第１回転部品結合部および前記第２回転部品結合部のうちの前記保護部品が結合されていない結合部が前記本体部品の外部に面する位置を示す
光照射装置。
【請求項３】
光照射装置であって、
前記光照射装置は、本体部品、光源部品、保護部品、内部空間、交換用支持部、保持用支持部、および交換穴を有し、前記保護部品の交換が可能な構造を有し、
前記本体部品は、本体側壁および本体開口部を有し、
前記本体側壁は、前記内部空間を形成し、
前記本体開口部は、前記本体側壁の一部を構成し、前記内部空間を外部に開放し、
前記光源部品は、前記内部空間に配置され、
前記交換用支持部は、前記本体側壁に支持され、前記本体側壁に対して移動し、前記本体部品に対して少なくとも第１可動位置および第２可動位置を取り、
前記第１可動位置は、前記交換用支持部の少なくとも一部が前記本体側壁の内面から前記内部空間に突出した位置を示し、
前記第２可動位置は、前記交換用支持部が前記本体側壁の内面から前記内部空間に突出していない位置を示し、
前記保持用支持部は、前記本体側壁の一部を構成する部分、および前記本体側壁に結合された部分の少なくとも一方を有し、前記交換用支持部よりも前記光源部品側に形成され、前記保護部品を支持し、
前記保護部品は、前記本体開口部を閉塞し、前記本体部品との結合および分離が可能な構造を有し、
前記交換穴は、前記本体側壁を貫通し、前記保護部品と隣り合う位置に形成され、前記保護部品が通過することが可能な大きさを有する
光照射装置。
【発明の詳細な説明】
【技術分野】
【０００１】
本発明は、光照射装置に関する。
【背景技術】
【０００２】
特許文献１は、従来の光照射装置の一例を開示している。図２９は、特許文献１の光照射装置９００を示す。光照射装置９００は、放熱ハウジング９１０、口金９２０、駆動回路９３０、発光ユニット板９４０、パッド９５０、およびレンズカバー９６０を有する。放熱ハウジング９１０は、放熱フィン９１１、開口部９１２、取付け口９１３、貫通穴９１４、セパレータ９１５、ねじ溝部９１６、および収容空間９１７を有する。駆動回路９３０は、電力出力線９３１およびコネクタ９３２を有する。発光ユニット板９４０は、台座９４１、回路基板９４２、複数の発光素子９４３、挿通穴９４４、リード線９４５、およびコネクタ９４６を有する。レンズカバー９６０は、接合部９６１を有する。接合部９６１は、ねじ溝面９６２を有する。レンズカバー９６０は、ねじ溝面９６２がねじ溝部９１６にねじ込まれることにより、放熱ハウジング９１０と結合される。
【先行技術文献】
【特許文献】
【０００３】
【特許文献１】特開２０１１−２２８１１７号公報
【発明の概要】
【発明が解決しようとする課題】
【０００４】
本願発明者は、光照射装置９００が次の課題を含むことを見出した。
光照射装置９００は、レンズカバー９６０を交換用のレンズカバー（図示略）と交換することができる。レンズカバー９６０は、交換用のレンズカバーと交換されるとき、放熱ハウジング９１０から分離される。図３０は、レンズカバー９６０が放熱ハウジング９１０から分離された状態を示している。
【０００５】
発光素子９４３は、レンズカバー９６０が放熱ハウジング９１０から分離されたとき、完全に露出する。発光素子９４３の完全な露出は、レンズカバー９６０が放熱ハウジング９１０から分離されたことにより、発光素子９４３と作業主体との間にレンズカバー９６０が存在していない状態を示す。このため、発光素子９４３が作業主体に触れるおそれがある。
【０００６】
本発明は、以上の背景をもとに創作されたものであり、保護部品が交換されるときに光源部品が作業主体に触れにくい構造を有する光照射装置を提供することを目的とする。
【課題を解決するための手段】
【０００７】
（１）本手段の一形態は、「光照射装置であって、前記光照射装置は、本体部品、光源部品、保護部品、内部空間、支持部、第１交換穴、および第２交換穴を有し、前記保護部品の交換が可能な構造を有し、前記本体部品は、本体側壁および本体開口部を有し、前記本体側壁は、前記内部空間を形成し、前記本体開口部は、前記本体側壁の一部を構成し、前記内部空間を外部に開放し、前記光源部品は、前記内部空間に配置され、前記支持部は、前記本体側壁の一部を構成する部分、および前記本体側壁に結合された部分の少なくとも一方を有し、前記保護部品は、前記本体開口部を閉塞し、前記本体部品との結合および分離が可能な構造を有し、前記第１交換穴は、前記本体側壁を貫通し、前記保護部品と隣り合う位置に形成され、前記保護部品が通過することが可能な大きさを有し、前記第２交換穴は、前記本体側壁を貫通し、前記保護部品と隣り合う位置に形成され、前記保護部品を介して前記第１交換穴と対向する位置に形成され、前記保護部品が通過することが可能な大きさを有する光照射装置」を含む。
【０００８】
上記光照射装置は、次の方法により保護部品を交換用保護部品と交換することを可能にする。保護部品および交換用保護部品は、作業主体の力により各種の動作を生じる。作業主体は、作業者または作業用の装置を示す。
【０００９】
交換用保護部品は、一例として、第１交換穴に挿入される。交換用保護部品は、保護部品の側面に突き当てられる。交換用保護部品は、保護部品を第２交換穴から押し出す方向に押される。
【００１０】
交換用保護部品は、保護部品に向けて押されることにより、本体側壁に対して内部空間に向けて移動する。交換用保護部品は、本体側壁に対して移動することにより、本体側壁の内面から内部空間に突出する。交換用保護部品は、本体部品に対して部品組付位置を取るまで押される。交換用保護部品は、本体部品に対して部品組付位置を取るとき、本体開口部を閉塞する。部品組付位置は、保護部品または交換用保護部品が本体開口部の全部を閉塞する位置を示す。
【００１１】
保護部品は、交換用保護部品に押されることにより、本体側壁に対して外部に向けて移動する。保護部品は、本体側壁に対して移動することにより、第２交換穴を介して本体側壁の外面から外部に突出する。保護部品は、交換用保護部品が部品組付位置を取るとき、本体部品から押し出される、または本体部品から抜き取られる。
【００１２】
保護部品および交換用保護部品は、交換用保護部品が部品組付位置を取るまでの間、協同して本体開口部を閉塞する。このため、保護部品が交換されるときに光源部品が作業主体に触れることが抑制される。なお、本光照射装置は、第１交換穴に代えて第２交換穴に交換用保護部品に挿入される場合においても上記効果に準じた効果を奏する。
【００１３】
（２）本手段の一形態は、「光照射装置であって、前記光照射装置は、本体部品、光源部品、保護部品、内部空間、および回転部品を有し、前記保護部品の交換が可能な構造を有し、前記本体部品は、本体側壁および本体開口部を有し、前記本体側壁は、前記内部空間を形成し、前記本体開口部は、前記本体側壁の一部を構成し、前記内部空間を外部に開放し、前記光源部品は、前記内部空間に配置され、前記保護部品は、前記本体開口部を閉塞し、保護部品結合部を有し、前記保護部品結合部において前記回転部品と結合し、前記回転部品との分離が可能な構造を有し、前記回転部品は、前記本体側壁に支持され、前記本体部品に対して回転し、前記本体部品に対して少なくとも第１回転位置および第２回転位置を取り、前記保護部品を支持し、第１回転部品結合部および第２回転部品結合部を有し、前記回転部品の周方向において前記回転部品の回転中心線を介して互いに対向する位置に前記第１回転部品結合部および前記第２回転部品結合部を有し、前記第１回転部品結合部および前記第２回転部品結合部の一方において前記保護部品結合部と結合し、前記第１回転位置は、前記本体開口部の全部が前記保護部品により閉塞され、前記保護部品が前記回転部品よりも前記本体部品の外部側に配置される位置を示し、前記第２回転位置は、前記本体開口部の全部が前記保護部品により閉塞され、前記第１回転部品結合部および前記第２回転部品結合部のうちの前記保護部品が結合されていない結合部が前記本体部品の外部に面する位置を示す光照射装置」を含む。
【００１４】
上記光照射装置は、次の方法により保護部品を交換用保護部品と交換することを可能にする。保護部品および交換用保護部品は、作業主体の力により各種の動作を生じる。作業主体は、作業者または作業用の装置を示す。
【００１５】
保護部品は、一例として、保護部品を交換する作業が開始される前において第１回転部品結合部と結合している。回転部品は、一例として、保護部品を交換する作業が開始される前において第１回転位置を取る。
【００１６】
回転部品は、本体部品に対して第１回転位置から第２回転位置に回転させられる。保護部品は、回転部品とともに回転し、本体開口部を部分的に開放する。保護部品は、回転部品と結合していることにより、回転部品が第１回転位置から第２回転位置に回転する過程において、光源部品が完全に露出した状態を形成しない。保護部品は、回転部品が第２回転位置を取るとき、本体開口部の全部を閉塞している。
【００１７】
交換用保護部品は、回転部品の第２回転部品結合部に結合される。回転部品は、交換用保護部品が結合された後、交換用保護部品が結合される前の回転位置に回転させられる。保護部品および交換用保護部品は、回転部品とともに回転し、本体開口部を部分的に開放する。保護部品および交換用保護部品は、回転部品と結合していることにより、回転部品が回転する過程において、光源部品が完全に露出した状態を形成しない。
【００１８】
保護部品は、交換用保護部品が結合された回転部品が回転させられた後、回転部品から分離される。本体開口部は、保護部品が回転部品から分離された後においても交換用保護部品により閉塞されている。このため、保護部品が交換されるときに光源部品が作業主体に触れることが抑制される。
【００１９】
なお、本光照射装置は、保護部品を交換する作業が開始される前において、保護部品が第２回転部品結合部と結合している場合においても上記効果に準じた効果を奏する。また、本光照射装置は、保護部品を交換する作業が開始される前において、回転部品が第２回転位置を取る場合においても上記効果に準じた効果を奏する。
【００２０】
（３）本手段の一形態は、「光照射装置であって、前記光照射装置は、本体部品、光源部品、保護部品、内部空間、交換用支持部、保持用支持部、および交換穴を有し、前記保護部品の交換が可能な構造を有し、前記本体部品は、本体側壁および本体開口部を有し、前記本体側壁は、前記内部空間を形成し、前記本体開口部は、前記本体側壁の一部を構成し、前記内部空間を外部に開放し、前記光源部品は、前記内部空間に配置され、前記交換用支持部は、前記本体側壁に支持され、前記本体側壁に対して移動し、前記本体部品に対して少なくとも第１可動位置および第２可動位置を取り、前記第１可動位置は、前記交換用支持部の少なくとも一部が前記本体側壁の内面から前記内部空間に突出した位置を示し、前記第２可動位置は、前記交換用支持部が前記本体側壁の内面から前記内部空間に突出していない位置を示し、前記保持用支持部は、前記本体側壁の一部を構成する部分、および前記本体側壁に結合された部分の少なくとも一方を有し、前記交換用支持部よりも前記光源部品側に形成され、前記保護部品を支持し、前記保護部品は、前記本体開口部を閉塞し、前記本体部品との結合および分離が可能な構造を有し、前記交換穴は、前記本体側壁を貫通し、前記保護部品と隣り合う位置に形成され、前記保護部品が通過することが可能な大きさを有する光照射装置」を含む。
【００２１】
上記光照射装置は、次の方法により保護部品を交換用保護部品と交換することを可能にする。保護部品および交換用保護部品は、作業主体の力により各種の動作を生じる。作業主体は、作業者または作業用の装置を示す。
【００２２】
交換用支持部は、保護部品を交換する作業が開始される前において、第１可動位置を取る。交換用保護部品は、第１可動位置を取る交換用支持部に載せられる。交換用保護部品は、交換用支持部に載せられることにより、本体開口部を閉塞する。保護部品は、交換穴を介して本体部品から抜き取られる。
【００２３】
交換用支持部は、第１可動位置から第２可動位置に移動させられる。交換用支持部は、第２可動位置を取るとき、交換用保護部品を支持することができない。このため、交換用保護部品は、保持用支持部に向けて移動する。本体開口部は、保護部品が本体部品から抜き取られた後においても交換用保護部品により閉塞されている。このため、保護部品が交換されるときに光源部品が作業主体に触れることが抑制される。
【００２４】
上記（１）〜（３）の光照射装置は、先行技術に対して貢献をもたらす対応する特別な技術的特徴を有する。対応する特別な技術的特徴は、保護部品が交換用保護部品と交換されるとき、光源部品が完全に露出した状態を形成しない構造を示す。このため、上記（１）〜（３）の光照射装置は、単一の一般的発明概念を形成する点において連関した技術的関係を有し、発明の単一性の要件を満たす一群の発明に該当する。
【発明の効果】
【００２５】
本光照射装置は、保護部品が交換されるときに光源部品が作業主体に触れることを抑制することができる。
【図面の簡単な説明】
【００２６】
【図１】第１実施形態の光照射装置の斜視図。
【図２】第１実施形態の光照射装置の平面図。
【図３】第１実施形態の光照射装置の側面図。
【図４】第１実施形態の光照射装置に関する図であり、図２のＸ０４−Ｘ０４線において破断された断面図。
【図５】第１実施形態の光照射装置に関する図であり、図２のＸ０５−Ｘ０５線において破断された断面図。
【図６】第１実施形態の保護部品に関する図であり、（ａ）は奥行方向の正面視における側面図、（ｂ）は奥行方向の背面視における側面図。
【図７】第１実施形態の光照射装置に関する図であり、保護部品製造工程の一部を示す工程図。
【図８】第１実施形態の光照射装置に関する図であり、保護部品製造工程の一部を示す工程図。
【図９】第１実施形態の光照射装置に関する図であり、保護部品製造工程の一部を示す工程図。
【図１０】第１実施形態の光照射装置に関する図であり、保護部品製造工程の一部を示す工程図。
【図１１】第２実施形態の光照射装置の斜視図。
【図１２】第２実施形態の光照射装置の平面図。
【図１３】第２実施形態の光照射装置に関する図であり、図１２のＸ１３−Ｘ１３線において破断された断面図。
【図１４】第２実施形態の光照射装置に関する図であり、図１２のＸ１４−Ｘ１４線において破断された断面図。
【図１５】第２実施形態の光照射装置に関する図であり、保護部品製造工程の一部を示す工程図。
【図１６】第２実施形態の光照射装置に関する図であり、保護部品製造工程の一部を示す工程図。
【図１７】第２実施形態の光照射装置に関する図であり、保護部品製造工程の一部を示す工程図。
【図１８】第２実施形態の光照射装置に関する図であり、保護部品製造工程の一部を示す工程図。
【図１９】第２実施形態の光照射装置に関する図であり、保護部品製造工程の一部を示す工程図。
【図２０】第２実施形態の光照射装置に関する図であり、保護部品製造工程の一部を示す工程図。
【図２１】第３実施形態の光照射装置の斜視図。
【図２２】第３実施形態の光照射装置の平面図。
【図２３】第３実施形態の光照射装置に関する図であり、図２２のＸ２３−Ｘ２３線において破断された断面図。
【図２４】第３実施形態の光照射装置に関する図であり、図２２のＸ２４−Ｘ２４線において破断された断面図。
【図２５】第３実施形態の光照射装置に関する図であり、保護部品製造工程の一部を示す工程図。
【図２６】第３実施形態の光照射装置に関する図であり、保護部品製造工程の一部を示す工程図。
【図２７】第３実施形態の光照射装置に関する図であり、保護部品製造工程の一部を示す工程図。
【図２８】第３実施形態の光照射装置に関する図であり、保護部品製造工程の一部を示す工程図。
【図２９】従来の光照射装置の断面図。
【図３０】従来の光照射装置の部分断面図。
【発明を実施するための形態】
【００２７】
（第１実施形態）
図１〜図６は、光照射装置１００の一例を示している。光照射装置１００は、高さ方向、幅方向、および奥行方向を規定する。高さ方向は、光照射装置１００が直立する方向の双方向を示す。幅方向は、光照射装置１００の正面視において高さ方向に直交する双方向を示す。奥行方向は、光照射装置１００の側面視において、高さ方向に直交する双方向を示す。
【００２８】
光照射装置１００は、図１および図４に示される構造を有する。光照射装置１００は、複数の構成部品を有する。光照射装置１００の複数の構成部品は、一例として、本体部品１１０、照射部１６０の構成部品、保護部品１７０、および２つの遮光部品１８０を含む。光照射装置１００は、構成部品の一部として形成された複数の機能部分を有する。光照射装置１００の複数の機能部分は、第１交換部１２０、第２交換部１３０、第１支持部１４０、および第２支持部１５０を含む。光照射装置１００は、構成部品により形成された複数の機能空間を有する。光照射装置１００の複数の機能空間は、内部空間１０１、第１交換穴１２１、および第２交換穴１３１を含む。光照射装置１００は、移動方向規制構造を有する。移動方向規制構造は、本体部品１１０に対する保護部品１７０の移動方向を一方向に規制する。
【００２９】
本体部品１１０は、図１および図４に示される構造を有する。本体部品１１０は、一例として、遮光性が高い樹脂材料により形成されている。本体部品１１０は、一例として、中空の四角柱形状を有する。本体部品１１０は、複数の構成部分を有する。本体部品１１０の複数の構成部分は、第１本体側壁１１１、第２本体側壁１１２、第３本体側壁１１３、第４本体側壁１１４、本体底壁１１５、本体表側枠部１１０Ａ、および本体裏側枠部１１０Ｂを含む。本体部品１１０は、複数の構成部分が同一の樹脂材料により一体的に形成された構造を有する。本体部品１１０は、構成部分の一部により形成された複数の機能部分を有する。本体部品１１０の機能部分は、本体開口部１１６、第１案内溝１１７、第２案内溝１１８、第１交換部１２０、第２交換部１３０、第１支持部１４０、および第２支持部１５０を含む。本体部品１１０は、構成部分により形成された複数の機能空間を有する。本体部品１１０の複数の機能空間は、内部空間１０１、第１交換穴１２１、および第２交換穴１３１を含む。
【００３０】
本体開口部１１６は、本体部品１１０において本体底壁１１５とは反対側の部分に形成されている。本体開口部１１６は、内部空間１０１を本体部品１１０の外部に開放する構造を有する。本体開口部１１６は、保護部品１７０により閉塞されている。
【００３１】
第１本体側壁１１１および第２本体側壁１１２は、図１および図４に示される構造を有する。第１本体側壁１１１および第２本体側壁１１２は、内部空間１０１を介して互いに対向している。第１本体側壁１１１は、一方の端において第３本体側壁１１３と結合している。第１本体側壁１１１は、他方の端において第４本体側壁１１４と結合している。第２本体側壁１１２は、一方の端において第３本体側壁１１３と結合している。第２本体側壁１１２は、他方の端において第４本体側壁１１４と結合している。
【００３２】
第３本体側壁１１３および第４本体側壁１１４は、図１および図５に示される構造を有する。第３本体側壁１１３および第４本体側壁１１４は、内部空間１０１を介して互いに対向している。第３本体側壁１１３は、第１案内溝１１７を有する。第４本体側壁１１４は、第２案内溝１１８を有する。
【００３３】
第１案内溝１１７は、第３本体側壁１１３の内面に形成されている。第１案内溝１１７は、本体部品１１０の幅方向において第３本体側壁１１３の一方の端から他方の端までにわたり形成されている。第１案内溝１１７は、保護部品１７０の第１方向規制部１７７と嵌合する。第１案内溝１１７は、第１方向規制部１７７の形状に対応する形状を有する。
【００３４】
第２案内溝１１８は、第４本体側壁１１４の内面に形成されている。第２案内溝１１８は、本体部品１１０の幅方向において第４本体側壁１１４の一方の端から他方の端までにわたり形成されている。第２案内溝１１８は、保護部品１７０の第２方向規制部１７８と嵌合する。第２案内溝１１８は、第２方向規制部１７８の形状に対応する形状を有する。
【００３５】
本体表側枠部１１０Ａは、図１および図２に示される構造を有する。本体表側枠部１１０Ａは、枠形状を有する。本体表側枠部１１０Ａは、第１本体側壁１１１の内面、第２本体側壁１１２の内面、第３本体側壁１１３の内面、および第４本体側壁１１４の内面と結合している。本体表側枠部１１０Ａは、第１本体側壁１１１の内面、第２本体側壁１１２の内面、第３本体側壁１１３の内面、および第４本体側壁１１４の内面のそれぞれから内部空間１０１に向けて突出している。本体表側枠部１１０Ａは、本体部品１１０の高さ方向において本体部品１１０に対する保護部品１７０の移動を規制する。
【００３６】
本体裏側枠部１１０Ｂは、図１、図４、および図５に示される構造を有する。本体裏側枠部１１０Ｂは、枠形状を有する。本体裏側枠部１１０Ｂは、第１本体側壁１１１の内面、第２本体側壁１１２の内面、第３本体側壁１１３の内面、および第４本体側壁１１４の内面と結合している。本体裏側枠部１１０Ｂは、第１本体側壁１１１の内面、第２本体側壁１１２の内面、第３本体側壁１１３の内面、および第４本体側壁１１４の内面のそれぞれから内部空間１０１に向けて突出している。本体裏側枠部１１０Ｂは、本体部品１１０の高さ方向において本体表側枠部１１０Ａよりも本体底壁１１５側に形成されている。本体裏側枠部１１０Ｂは、本体部品１１０の高さ方向において本体表側枠部１１０Ａとの間に隙間を形成している。本体裏側枠部１１０Ｂは、本体部品１１０の高さ方向において本体部品１１０に対する保護部品１７０の移動を規制する。
【００３７】
内部空間１０１は、図１に示される形状を有する。内部空間１０１は、第１本体側壁１１１、第２本体側壁１１２、第３本体側壁１１３、第４本体側壁１１４、および本体底壁１１５に囲まれて形成されている。内部空間１０１は、保護部品１７０により閉塞されている。
【００３８】
第１交換部１２０は、図３および図４に示される構造を有する。第１交換部１２０は、第１本体側壁１１１の一部として形成されている。第１交換部１２０は、複数の面を有する。第１交換部１２０の複数の面は、第１交換部１２０の底面、第１交換部１２０の頂面、および第１交換部１２０の側面を含む。第１交換部１２０は、機能空間としての第１交換穴１２１を有する。第１交換穴１２１は、複数の面に囲まれて形成されている。第１交換穴１２１は、本体部品１１０の幅方向において第１本体側壁１１１を貫通している。第１交換穴１２１は、内部空間１０１と本体部品１１０の外部とを互いに連通する。
【００３９】
第２交換部１３０は、図３および図４に示される構造を有する。第２交換部１３０は、第２本体側壁１１２の一部として形成されている。第２交換部１３０は、複数の面を有する。第２交換部１３０の複数の面は、第２交換部１３０の底面、第２交換部１３０の頂面、および第２交換部１３０の側面を含む。第２交換部１３０は、機能空間としての第２交換穴１３１を有する。第２交換穴１３１は、複数の面に囲まれて形成されている。第２交換穴１３１は、本体部品１１０の幅方向において第２本体側壁１１２を貫通している。第２交換穴１３１は、内部空間１０１と本体部品１１０の外部とを互いに連通する。
【００４０】
第１支持部１４０は、図４に示される構造を有する。第１支持部１４０は、本体部品１１０の一部として形成されている。第１支持部１４０は、第１側壁内支持部１４１および第１枠部内支持部１４２を有する。第１側壁内支持部１４１は、第１本体側壁１１１の一部としての第１交換部１２０の底面を有する。第１枠部内支持部１４２は、本体裏側枠部１１０Ｂの一部を有する。この本体裏側枠部１１０Ｂの一部は、第１本体側壁１１１の内面と結合している部分を示す。第１枠部内支持部１４２の頂面は、第１交換部１２０の底面と連続して平面を形成している。第１支持部１４０は、本体部品１１０の高さ方向において本体部品１１０に対する保護部品１７０の移動を規制する。
【００４１】
第２支持部１５０は、図４に示される構造を有する。第２支持部１５０は、本体部品１１０の一部として形成されている。第２支持部１５０は、第２側壁内支持部１５１および第２枠部内支持部１５２を有する。第２側壁内支持部１５１は、第２本体側壁１１２の一部としての第２交換部１３０の底面を有する。第２枠部内支持部１５２は、本体裏側枠部１１０Ｂの一部を有する。この本体裏側枠部１１０Ｂの一部は、第２本体側壁１１２の内面と結合している部分を示す。第２支持部１５０は、本体部品１１０の高さ方向において本体部品１１０に対する保護部品１７０の移動を規制する。
【００４２】
照射部１６０は、図１および図３に示される構造を有する。照射部１６０は、内部空間１０１に配置されている。照射部１６０は、本体底壁１１５上に配置されている。照射部１６０は、複数の機能部品を有する。照射部１６０の複数の機能部品は、９個の光源部品１６１および回路基板１６２を含む。光源部品１６１は、一例として、ＬＥＤの形態を有する。回路基板１６２は、電源（図示略）の電力を光源部品１６１に供給する。
【００４３】
保護部品１７０は、図１、図４、および図６に示される構造を有する。保護部品１７０は、一例として、光の透過性が高い樹脂材料により形成されている。保護部品１７０は、平板形状を有する。保護部品１７０は、本体表側枠部１１０Ａと本体裏側枠部１１０Ｂとの間に配置されている。保護部品１７０は、本体部品１１０に対する移動が可能な構造を有する。保護部品１７０は、本体部品１１０に対して部品組付位置を取る。部品組付位置は、保護部品１７０が本体開口部１１６の全部を閉塞する位置を示す。保護部品１７０は、本体部品１１０と協同して機能する複数の機能部分を有する。保護部品１７０の複数の機能部分は、第１支持端部１７０Ａ、第２支持端部１７０Ｂ、第１方向規制部１７７、および第２方向規制部１７８を含む。保護部品１７０は、複数の面を有する。保護部品１７０の複数の面は、保護部品表面１７１、保護部品裏面１７２、第１支持側面１７３、第２支持側面１７４、第１規制側面１７５、および第２規制側面１７６を含む。
【００４４】
第１支持端部１７０Ａは、第１交換穴１２１に挿入されている。第１支持端部１７０Ａは、第１交換部１２０の複数の面および本体裏側枠部１１０Ｂの頂面と接触している。第１側壁内支持部１４１および第１枠部内支持部１４２は、第１支持端部１７０Ａと接触していることにより、本体部品１１０の高さ方向における保護部品１７０の位置を規定することに寄与している。
【００４５】
第２支持端部１７０Ｂは、第２交換穴１３１に挿入されている。第２支持端部１７０Ｂは、第２交換部１３０の複数の面および本体裏側枠部１１０Ｂの頂面と接触している。第２側壁内支持部１５１および第２枠部内支持部１５２は、第２支持端部１７０Ｂと接触していることにより、本体部品１１０の高さ方向における保護部品１７０の位置を規定することに寄与している。
【００４６】
保護部品表面１７１は、平面形状を有する。保護部品表面１７１は、本体部品１１０の外部に面している。保護部品表面１７１は、本体表側枠部１１０Ａの底面、第１交換部１２０の頂面、および第２交換部１３０の頂面と接触している。
【００４７】
保護部品裏面１７２は、平面形状を有する。保護部品裏面１７２は、本体底壁１１５に面している。保護部品裏面１７２は、本体裏側枠部１１０Ｂの頂面、第１側壁内支持部１４１としての第１交換部の１２０底面、および第２側壁内支持部１５１としての第２交換部１３０の底面と接触している。
【００４８】
第１支持側面１７３は、平面形状を有する。第１支持側面１７３は、第１支持端部１７０Ａにおける保護部品表面１７１の縁、および第１支持端部１７０Ａにおける保護部品裏面１７２の縁のそれぞれと連続している。第１支持側面１７３は、遮光部品１８０と接触している。
【００４９】
第２支持側面１７４は、平面形状を有する。第２支持側面１７４は、第２支持端部１７０Ｂにおける保護部品表面１７１の縁、および第２支持端部１７０Ｂにおける保護部品裏面１７２の縁のそれぞれと連続している。第２支持側面１７４は、遮光部品１８０と接触している。
【００５０】
第１規制側面１７５は、平面形状を有する。第１規制側面１７５は、本体部品１１０の奥行方向の正面側における保護部品表面１７１の縁、および本体部品１１０の奥行方向の正面側における保護部品裏面１７２の縁のそれぞれと連続している。第１規制側面１７５は、第３本体側壁１１３の内面と対向している。
【００５１】
第２規制側面１７６は、平面形状を有する。第２規制側面１７６は、本体部品１１０の奥行方向の背面側における保護部品表面１７１の縁、および本体部品１１０の奥行方向の背面側における保護部品裏面１７２の縁のそれぞれと連続している。第２規制側面１７６は、第４本体側壁１１４の内面と対向している。
【００５２】
第１方向規制部１７７は、図６（ａ）に示される構造を有する。第１方向規制部１７７は、第１規制側面１７５に形成されている。第１方向規制部１７７は、第１規制側面１７５から突出している。第１方向規制部１７７は、第３本体側壁１１３の第１案内溝１１７に嵌め合わせられている。第１方向規制部１７７は、複数の規制部段差部１７７Ａおよび複数の規制部傾斜部１７７Ｂを有する。規制部段差部１７７Ａおよび規制部傾斜部１７７Ｂは、第１方向規制部１７７の長手方向において交互に形成されている。規制部段差部１７７Ａおよび規制部傾斜部１７７Ｂは、連続して形成されている。
【００５３】
第２方向規制部１７８は、図６（ｂ）に示される構造を有する。第２方向規制部１７８は、第２規制側面１７６に形成されている。第２方向規制部１７８は、第２規制側面１７６から突出している。第２方向規制部１７８は、第４本体側壁１１４の第２案内溝１１８に嵌め合わせられている。第２方向規制部１７８は、複数の規制部段差部１７８Ａおよび複数の規制部傾斜部１７８Ｂを有する。規制部段差部１７８Ａおよび規制部傾斜部１７８Ｂは、第２方向規制部１７８の長手方向において交互に形成されている。規制部段差部１７８Ａおよび規制部傾斜部１７８Ｂは、連続して形成されている。
【００５４】
移動方向規制構造は、図４に示される構造を有する。移動方向規制構造は、第１案内溝１１７、第２案内溝１１８、第１方向規制部１７７、および第２方向規制部１７８を有する。規制部段差部１７７Ａは、第１案内溝１１７の段差部（図示略）と接触することにより、本体部品１１０に対する保護部品１７０の移動方向を一方向に規制する。規制部段差部１７８Ａは、第２案内溝１１８の段差部（図示略）と接触することにより、本体部品１１０に対する保護部品１７０の移動方向を一方向に規制する。移動方向規制構造は、一例として、第１本体側壁１１１から第２本体側壁１１２に向かう保護部品１７０の移動を許容し、第２本体側壁１１２から第１本体側壁１１１に向かう保護部品１７０の移動を規制する。
【００５５】
遮光部品１８０は、図３および図４に示される構造を有する。遮光部品１８０は、遮光性が高い樹脂材料により形成されている。遮光部品１８０は、四角柱形状を有する。一方の遮光部品１８０は、第１交換穴１２１の一部に嵌め込まれている。遮光部品１８０は、第１本体側壁１１１との結合および分離が可能な構造を有する。他方の遮光部品１８０は、第２交換穴１３１の一部に嵌め込まれている。他方の遮光部品１８０は、第２本体側壁１１２との結合および分離が可能な構造を有する。
【００５６】
光照射装置１００は、少なくとも２種類の製造方法により提供される。１つめの製造方法である部品組付製造方法は、保護部品１７０が組み付けられていない本体部品１１０を用いて光照射装置１００を製造する方法を示す。２つめの製造方法である部品交換製造方法は、保護部品１７０が組み付けられている本体部品１１０を用い、保護部品１７０を交換用保護部品１７０Ｘ（図７参照）に交換して光照射装置１００を製造する方法を示す。保護部品１７０および交換用保護部品１７０Ｘは、作業主体の力により各種の動作を生じる。作業主体は、作業者または作業用の装置を示す。
【００５７】
部品組付製造方法の１番目の工程は、次の作業を含む。照射部１６０の構成部品は、単体の本体部品１１０に組み付けられる。単体の本体部品１１０は、図４に示される本体部品１１０から照射部１６０、保護部品１７０、および遮光部品１８０が省略された構造を有する。
【００５８】
部品組付製造方法の２番目の工程は、次の作業を含む。保護部品１７０は、本体部品１１０の第１交換穴１２１または第２交換穴１３１に挿入される。保護部品１７０は、内部空間１０１に向けて押されることにより、本体部品１１０の幅方向において本体部品１１０に対して移動する。保護部品１７０は、本体部品１１０に対して移動しているとき、第１支持部１４０および本体裏側枠部１１０Ｂに支持されている。保護部品１７０は、本体部品１１０に対して部品組付位置を取るとき、本体部品１１０に対して移動させるための力が入力されなくなる。
【００５９】
部品組付製造方法の３番目の工程は、次の作業を含む。一方の遮光部品１８０は、第１交換穴１２１に嵌め込まれる。他方の遮光部品１８０は、第２交換穴１３１に嵌め込まれる。光照射装置１００は、保護部品１７０、および遮光部品１８０が本体部品１１０に組み付けられたことにより完成する。
【００６０】
部品交換製造方法は、一例として、図７〜図１０に示される複数の工程を含む。部品交換製造方法の複数の工程は、第１製造工程（図７）、第２製造工程（図８）、第３製造工程（図９）、および第４製造工程（図１０）を含む。交換用保護部品１７０Ｘは、保護部品１７０と同一の構造を有する。部品交換方法の説明は、交換用保護部品１７０Ｘの各部分に対して保護部品１７０と同一の符号を用いる。
【００６１】
第１製造工程（図７）は、次の作業を含む。一方の遮光部品１８０は、第１本体側壁１１１から分離される。他方の遮光部品１８０は、第２本体側壁１１２から分離される。交換用保護部品１７０Ｘは、第１交換穴１２１に挿入される。保護部品１７０は、第１製造工程において本体開口部１１６を閉塞している。
【００６２】
第２製造工程（図８）は、次の作業を含む。交換用保護部品１７０Ｘは、保護部品１７０の第１支持側面１７３に突き当てられる。交換用保護部品１７０Ｘは、第１交換穴１２１から第２交換穴１３１に向けて押される。交換用保護部品１７０Ｘは、第２交換穴１３１に向けて押されることにより、本体部品１１０の幅方向において本体部品１１０に対して移動する。交換用保護部品１７０Ｘは、本体部品１１０に対して移動することにより、第１本体側壁１１１の内面から内部空間１０１に突出する。交換用保護部品１７０Ｘは、本体部品１１０に対して移動しているとき、第１支持部１４０および本体裏側枠部１１０Ｂにより支持されている。
【００６３】
保護部品１７０は、交換用保護部品１７０Ｘに押されることにより、本体部品１１０の幅方向において本体部品１１０に対して移動する。保護部品１７０は、本体部品１１０に対して移動することにより、第２本体側壁１１２の外面から本体部品１１０の外部に突出する。保護部品１７０は、本体部品１１０に対して移動しているとき、第２支持部１５０および本体裏側枠部１１０Ｂにより支持されている。保護部品１７０および交換用保護部品１７０Ｘは、第２製造工程において、協同して本体開口部１１６を閉塞している。
【００６４】
第３製造工程（図９）は、次の作業を含む。交換用保護部品１７０Ｘは、本体部品１１０に対して部品組付位置を取るまで第２交換穴１３１に向けて押される。交換用保護部品１７０Ｘは、本体部品１１０に対して部品組付位置を取るとき、第２交換穴１３１に向けて押す力が入力されなくなる。交換用保護部品１７０Ｘは、部品組付位置を取ることにより、新たな保護部品１７０として機能する。交換用保護部品１７０Ｘは、部品組付位置を取るとき、本体開口部１１６の全部を覆う。
【００６５】
保護部品１７０は、交換用保護部品１７０Ｘが部品組付位置を取るとき、第１支持端部１７０Ａが第２交換穴１３１に挿入され、第１支持端部１７０Ａ以外の部分が本体部品１１０の外部に突出している。保護部品１７０は、第１支持端部１７０Ａが第２交換穴１３１に挿入されているとき、第２支持部１５０により支持されていることにより、本体部品１１０に対する姿勢が保持される。
【００６６】
第４製造工程（図１０）は、次の作業を含む。保護部品１７０は、本体部品１１０から抜き取られる。一方の遮光部品１８０は、第１交換穴１２１に嵌め込まれる。他方の遮光部品１８０は、第２交換穴１３１に嵌め込まれる。光照射装置１００は、保護部品１７０が交換用保護部品１７０Ｘに交換され、遮光部品１８０が本体部品１１０に組み付けられたことにより完成する。
【００６７】
光照射装置１００は、以下の作用および効果を奏する。
光照射装置１００は、上記のとおり、図７〜図１０に示される部品交換製造方法により製造される。交換用保護部品１７０Ｘは、保護部品１７０と交換されるとき、第１交換穴１２１に挿入される。交換用保護部品１７０Ｘは、保護部品１７０の第１支持側面１７３に突き当てられる。交換用保護部品１７０Ｘは、保護部品１７０を第２交換穴１３１から押し出す方向に押される。
【００６８】
交換用保護部品１７０Ｘは、保護部品１７０に向けて押されることにより、第１本体側壁１１１に対して内部空間１０１に向けて移動する。交換用保護部品１７０Ｘは、第１本体側壁１１１に対して移動することにより、第１本体側壁１１１の内面から内部空間１０１に突出する。交換用保護部品１７０Ｘは、本体部品１１０に対して部品組付位置を取るまで押される。交換用保護部品１７０Ｘは、本体部品１１０に対して部品組付位置を取るとき、本体開口部１１６を閉塞する。
【００６９】
保護部品１７０は、交換用保護部品１７０Ｘに押されることにより、第２本体側壁１１２に対して外部に向けて移動する。保護部品１７０は、第２本体側壁１１２に対して移動することにより、第２交換穴１３１を介して第２本体側壁１１２の外面から外部に突出する。保護部品１７０は、交換用保護部品１７０Ｘが部品組付位置を取るとき、本体部品１１０から抜き取られる。
【００７０】
保護部品１７０および交換用保護部品１７０Ｘは、交換用保護部品１７０Ｘが部品組付位置を取るまでの間、協同して本体開口部１１６を閉塞する。このため、保護部品１７０が交換されるときに光源部品１６１が作業主体に触れることが抑制される。
【００７１】
本体部品１１０は、交換用保護部品１７０Ｘが部品組付位置を取るとき、保護部品１７０を支持する。このため、保護部品１７０が落下することに起因して、保護部品１７０が損傷することが抑制される。
【００７２】
移動方向規制構造は、本体部品１１０に対する保護部品１７０および交換用保護部品１７０Ｘの移動方向を規制する。このため、保護部品１７０は、交換用保護部品１７０Ｘに押されていないとき、本体部品１１０に対する位置が保持される。このため、保護部品１７０の交換作業が行われていないとき、保護部品１７０が本体部品１１０に対して移動することが抑制される。
【００７３】
（第２実施形態）
図１１〜図１４は、第２実施形態の光照射装置２００の一例を示している。第２実施形態の光照射装置２００は、複数の構成部品、構成部分、機能部分、および機能空間（以下、「第２実施形態の構成要素」）を有する。第２実施形態の複数の構成要素は、第１実施形態の光照射装置１００が有する複数の構成部品、構成部分、機能部分、および機能空間（以下、「第１実施形態の構成要素」）と同様または類似の構造および機能を有する。第２実施形態の光照射装置２００の説明は、第１実施形態の構成要素と同様または類似の構造および機能を有する第２実施形態の構成要素の説明の一部または全部を省略する。第２実施形態の光照射装置２００の説明は、第２実施形態の構成要素が第１実施形態の構成要素と同様または類似の構造および機能を有することを、「第２実施形態の構成要素は、第１実施形態の構成要素と対応している」と記述する。この記述は、互いに対応する構成要素同士の構造および機能が完全に一致する場合、および完全に一致しない場合の双方を含むことを意味している。
【００７４】
第２実施形態の光照射装置２００は、次の点において第１実施形態の光照射装置１００と相違する。第１実施形態の光照射装置１００は、保護部品１７０を交換するための機能部分として、第１交換部１２０および第２交換部１３０を有する。一方、第２実施形態の光照射装置２００は、第１交換部１２０および第２交換部１３０に代えて、図１１等に示される回転部品２２０を有する。
【００７５】
光照射装置２００は、図１１および図１３に示される構造を有する。光照射装置２００は、複数の構成部品を有する。光照射装置２００の複数の構成部品は、一例として、本体部品２１０、照射部２４０の構成部品、および保護部品２５０を含む。光照射装置２００は、構成部品の一部として形成された複数の機能部分を有する。光照射装置２００の複数の機能部分は、２つの軸受部２０２、本体開口部２１６、および部品結合部２１７を含む。光照射装置２００は、構成部品により形成された複数の機能空間を有する。光照射装置２００の複数の機能空間は、内部空間２０１、軸受部２０２の穴、および部品結合部２１７のねじ穴を含む。光照射装置２００は、第１実施形態の移動方向規制構造に相当する構造を有していない。
【００７６】
本体部品２１０は、図１１〜図１４に示される構造を有する。本体部品２１０は、第１実施形態の本体部品１１０と対応している。本体部品２１０は、複数の構成部分を有する。本体部品２１０の複数の構成部分は、第１本体側壁２１１、第２本体側壁２１２、第３本体側壁２１３、第４本体側壁２１４、および本体底壁２１５を含む。本体部品２１０は、構成部分の一部により形成された複数の機能部分を有する。本体部品２１０の複数の機能部分は、軸受部２０２、本体開口部２１６、および部品結合部２１７を含む。本体部品２１０は、構成部分により形成された複数の機能空間を有する。本体部品２１０の複数の機能空間は、内部空間２０１、軸受部２０２の穴、および部品結合部２１７のねじ穴を含む。
【００７７】
第１本体側壁２１１は、第１実施形態の第１本体側壁１１１と対応している。第２本体側壁２１２は、第１実施形態の第２本体側壁１１２と対応している。第３本体側壁２１３は、第１実施形態の第３本体側壁１１３と対応している。第４本体側壁２１４は、第１実施形態の第４本体側壁１１４と対応している。本体底壁２１５は、第１実施形態の本体底壁２１５と対応している。本体開口部２１６は、第１実施形態の本体開口部１１６と対応している。内部空間２０１は、第１実施形態の内部空間１０１と対応している。
【００７８】
軸受部２０２は、図１２および図１３に示される構造を有する。一方の軸受部２０２は、第１本体側壁２１１の一部として形成されている。他方の軸受部２０２は、第２本体側壁２１２の一部として形成されている。軸受部２０２は、機能空間としての穴を有する。軸受部２０２の穴は、回転部品２２０の軸端部２２３を収容している。一方の軸受部２０２の穴は、部品結合部２１７のねじ穴と連続している。
【００７９】
部品結合部２１７は、図１２および図１３に示される構造を有する。部品結合部２１７は、第１本体側壁２１１の一部として形成されている。部品結合部２１７は、機能空間としてのねじ穴を有する。部品結合部２１７は、雌ねじを有する。部品結合部２１７の雌ねじは、ねじ穴を形成している。部品結合部２１７の雌ねじは、固定部品２３０の雄ねじと結合している。
【００８０】
回転部品２２０は、図１１および図１３に示される構造を有する。回転部品２２０は、一例として、光の透過率が高い樹脂材料により形成されている。回転部品２２０は、軸形状を有する。回転部品２２０は、複数の機能部分を有する。回転部品２２０の複数の機能部分は、２つの第１回転部品結合部２２１、２つの第２回転部品結合部２２２、２つの軸端部２２３、およびねじ部２２４を有する。回転部品２２０は、機能部分により形成された複数の機能空間を有する。回転部品２２０の複数の機能空間は、第１回転部品結合部２２１の穴、第２回転部品結合部２２２の穴、およびねじ部２２４のねじ穴を含む。
【００８１】
回転部品２２０は、一方の軸端部２２３が一方の軸受部２０２の穴に挿入され、他方の軸端部２２３が他方の軸受部２０２の穴に挿入されていることにより、本体部品２１０に対して回転することができる。回転部品２２０は、ねじ部２２４に固定部品２３０が結合されているとき、本体部品２１０に対して回転することができない。
【００８２】
回転部品２２０は、本体部品２１０に対して第１回転位置および第２回転位置を取る。第１回転位置は、本体開口部２１６の全部が保護部品２５０により閉塞され、保護部品２５０が回転部品２２０よりも本体部品２１０の外部側に配置される位置を示す。第２回転位置は、本体開口部２１６の全部が保護部品２５０により閉塞され、第１回転部品結合部２２１および第２回転部品結合部２２２のうちの保護部品２５０が結合されていない結合部が本体部品２１０の外部に面する位置を示す。
【００８３】
第１回転部品結合部２２１は、回転部品２２０の一部として形成されている。第１回転部品結合部２２１は、機能空間としての穴を有する。一方の第１回転部品結合部２２１および他方の第１回転部品結合部２２１は、回転部品２２０の軸方向において間隔を空けて形成されている。一方の第１回転部品結合部２２１は、保護部品２５０が有する一方の保護部品結合部２５７と結合している。
【００８４】
第２回転部品結合部２２２は、回転部品２２０の一部として形成されている。第２回転部品結合部２２２は、機能空間としての穴を有する。一方の第２回転部品結合部２２２および他方の第２回転部品結合部２２２は、回転部品２２０の軸方向において間隔を空けて形成されている。一方の第２回転部品結合部２２２の穴は、一方の第１回転部品結合部２２１の穴と連続している。他方の第２回転部品結合部２２２の穴は、他方の第１回転部品結合部２２１の穴と連続している。
【００８５】
ねじ部２２４は、回転部品２２０の一部として形成されている。ねじ部２２４は、機能空間としてのねじ穴を有する。ねじ部２２４は、雌ねじを有する。ねじ部２２４の雌ねじは、ねじ穴を形成している。ねじ部２２４の雌ねじは、固定部品２３０の雄ねじと結合している。
【００８６】
固定部品２３０は、図１１および図１３に示される構造を有する。固定部品２３０は、一例として、遮光性が高い樹脂材料により形成されている。固定部品２３０は、複数の構成部分を有する。固定部品２３０の複数の構成部分は、壁用結合部２３１および軸用結合部２３２を含む。固定部品２３０は、複数の構成部分が同一の樹脂材料により一体的に形成された構造を有する。固定部品２３０は、本体部品２１０および回転部品２２０のそれぞれと結合していることにより、本体部品２１０に対する回転部品２２０の回転位置を固定している。
【００８７】
壁用結合部２３１は、円筒形状を有する。壁用結合部２３１は、外周上に雄ねじを有する。壁用結合部２３１の雄ねじは、本体部品２１０の部品結合部２１７の雌ねじと結合している。
【００８８】
軸用結合部２３２は、円筒形状を有する。軸用結合部２３２は、壁用結合部２３１よりも小さい径を有する。軸用結合部２３２は、外周上に雄ねじを有する。軸用結合部２３２の雄ねじは、回転部品２２０のねじ部２２４の雌ねじと結合している。
【００８９】
照射部２４０は、図１３に示される構造を有する。照射部２４０は、内部空間２０１に配置されている。照射部２４０は、本体底壁２１５上に配置されている。照射部２４０は、複数の機能部品を有する。照射部２４０の複数の機能部品は、９個の光源部品２４１および回路基板２４２を含む。光源部品２４１は、第１実施形態の光源部品１６１と対応している。回路基板２４２は、第１実施形態の回路基板１６２と対応している。
【００９０】
保護部品２５０は、図１１〜図１３に示される構造を有する。保護部品２５０は、第１実施形態の保護部品１７０と対応している。保護部品２５０は、回転部品２２０と結合している。保護部品２５０は、本体部品２１０に対する回転が可能な構造を有する。保護部品２５０は、回転部品２２０と協同して機能する複数の機能部分を有する。保護部品２５０の複数の機能部分は、２つの保護部品結合部２５７を含む。保護部品２５０は、複数の面を有する。保護部品２５０の複数の面は、第１側面２５１、第２側面２５２、第３側面２５３、第４側面２５４、保護部品表面２５５、および保護部品裏面２５６を含む。
【００９１】
第１側面２５１は、第１実施形態の第１支持側面１７３と対応している。第２側面２５２は、第１実施形態の第２支持側面１７４と対応している。第３側面２５３は、第１実施形態の第１規制側面１７５と対応している。第４側面２５４は、第１実施形態の第２規制側面１７６と対応している。保護部品表面２５５は、第１実施形態の保護部品表面１７１と対応している。保護部品裏面２５６は、第１実施形態の保護部品裏面１７２と対応している。
【００９２】
保護部品結合部２５７は、保護部品２５０の一部として形成されている。保護部品結合部２５７は、柱形状を有する。保護部品結合部２５７の先端部は、半球形状を有する。保護部品結合部２５７は、保護部品裏面２５６から突出している。一方の保護部品結合部２５７および他方の保護部品結合部２５７は、保護部品２５０の幅方向において間隔を空けて形成されている。一方の保護部品結合部２５７は、回転部品２２０が有する一方の第１回転部品結合部２２１と結合している。他方の保護部品結合部２５７は、回転部品２２０が有する他方の第１回転部品結合部２２１と結合している。
【００９３】
光照射装置２００は、少なくとも２種類の製造方法により提供される。１つめの製造方法である部品組付製造方法は、保護部品２５０が組み付けられていない本体部品２１０を用いて光照射装置２００を製造する方法を示す。２つめの製造方法である部品交換製造方法は、保護部品２５０が組み付けられている本体部品２１０を用い、保護部品２５０を交換用保護部品２５０Ｘ（図１６参照）に交換して光照射装置２００を製造する方法を示す。保護部品２５０および交換用保護部品２５０Ｘは、作業主体の力により各種の動作を生じる。作業主体は、作業者または作業用の装置を示す。
【００９４】
部品組付製造方法の１番目の工程は、次の作業を含む。照射部２４０の構成部品および回転部品２２０は、単体の本体部品２１０に組み付けられる。単体の本体部品２１０は、図１３に示される本体部品２１０から回転部品２２０、固定部品２３０、照射部２４０、および保護部品２５０が省略された構造を有する。
【００９５】
部品組付製造方法の２番目の工程は、次の作業を含む。固定部品２３０は、本体部品２１０および回転部品２２０に結合される。回転部品２２０は、固定部品２３０と結合されることにより、第１回転部品結合部２２１または第２回転部品結合部２２２が本体部品２１０の外部に面する回転位置に保持される。回転部品２２０は、一例として、第１回転部品結合部２２１が本体部品２１０の外部に面する回転位置に保持される。この回転位置は、実質的に第１回転位置と同じ位置を示す。
【００９６】
部品組付製造方法の３番目の工程は、次の作業を含む。保護部品２５０の保護部品結合部２５７は、回転部品２２０の第１回転部品結合部２２１または第２回転部品結合部２２２に挿入される。保護部品結合部２５７は、一例として第１回転部品結合部２２１に挿入される。保護部品２５０は、回転部品２２０に結合されることにより、本体開口部２１６の全部を閉塞する。光照射装置２００は、保護部品２５０が本体部品２１０に組み付けられたことにより完成する。
【００９７】
部品交換製造方法は、一例として、図１５〜図２０に示される複数の工程を含む。部品交換製造方法の複数の工程は、第１製造工程（図１５）、第２製造工程（図１６）、第３製造工程（図１７）、第４製造工程（図１８）、第５製造工程（図１９）、および第６製造工程（図２０）を含む。交換用保護部品２５０Ｘは、保護部品２５０と同一の構造を有する。部品交換方法の説明は、交換用保護部品２５０Ｘの各部分に対して保護部品２５０と同一の符号を用いる。
【００９８】
第１製造工程（図１５）は、次の作業を含む。固定部品２３０は、本体部品２１０および回転部品２２０から分離される。回転部品２２０は、第１回転位置から第２回転位置に回転させられる。保護部品２５０は、回転部品２２０とともに回転する。保護部品２５０は、回転部品２２０が第２回転位置を取るとき、本体開口部２１６を閉塞している。
【００９９】
第２製造工程（図１６）は、次の作業を含む。交換用保護部品２５０Ｘは、本体開口部２１６に挿入される。交換用保護部品２５０Ｘの保護部品結合部２５７は、回転部品２２０の第２回転部品結合部２２２に挿入される。交換用保護部品２５０Ｘは、回転部品２２０に結合される。保護部品２５０および交換用保護部品２５０Ｘは、本体部品２１０の高さ方向において互いに対向している。保護部品２５０および交換用保護部品２５０Ｘは、本体開口部２１６を閉塞している。
【０１００】
第３製造工程（図１７）は、次の作業を含む。回転部品２２０は、第２製造工程の回転位置から第１製造工程の回転位置に回転させられる。保護部品２５０および交換用保護部品２５０Ｘは、回転部品２２０とともに回転する。保護部品２５０は、回転部品２２０に対して本体部品２１０の外部側に位置する。交換用保護部品２５０Ｘは、回転部品２２０に対して照射部２４０側に位置する。保護部品２５０および交換用保護部品２５０Ｘは、本体開口部２１６を閉塞している。
【０１０１】
第４製造工程（図１８）は、次の作業を含む。保護部品２５０は、回転部品２２０から分離される。交換用保護部品２５０Ｘは、保護部品２５０が分離されることにより、新たな保護部品２５０として機能する。保護部品２５０としての交換用保護部品２５０Ｘは、本体開口部２１６を閉塞している。
【０１０２】
第５製造工程（図１９）は、次の作業を含む。回転部品２２０は、第２回転位置から第１回転位置に回転させられる。保護部品２５０としての交換用保護部品２５０Ｘは、回転部品２２０とともに回転する。保護部品２５０としての交換用保護部品２５０Ｘは、回転部品２２０が第１回転位置を取るとき、本体開口部２１６を閉塞している。
【０１０３】
第６製造工程（図２０）は、次の作業を含む。固定部品２３０は、本体部品２１０および回転部品２２０に結合される。光照射装置２００は、保護部品２５０が交換用保護部品２５０Ｘに交換され、固定部品２３０が本体部品２１０に組み付けられたことにより完成する。
【０１０４】
光照射装置２００は、以下の作用および効果を奏する。
光照射装置２００は、上記のとおり、図１５〜図２０に示される部品交換製造方法により製造される。保護部品２５０は、一例として、保護部品２５０を交換する作業が開始される前において第１回転部品結合部２２１と結合している。回転部品２２０は、一例として、保護部品２５０を交換する作業が開始される前において第１回転位置を取る。
【０１０５】
回転部品２２０は、本体部品２１０に対して第１回転位置から第２回転位置に回転させられる。保護部品２５０は、回転部品２２０とともに回転し、本体開口部２１６を部分的に開放する。保護部品２５０は、回転部品２２０と結合していることにより、回転部品２２０が第１回転位置から第２回転位置に回転する過程において、光源部品２４１が完全に露出した状態を形成しない。保護部品２５０は、回転部品２２０が第２回転位置を取るとき、本体開口部２１６の全部を閉塞している。
【０１０６】
交換用保護部品２５０Ｘは、回転部品２２０の第２回転部品結合部２２２に結合される。回転部品２２０は、交換用保護部品２５０Ｘが結合された後、第２回転位置から第１回転位置に回転させられる。保護部品２５０および交換用保護部品２５０Ｘは、回転部品２２０とともに回転し、本体開口部２１６を部分的に開放する。保護部品２５０および交換用保護部品２５０Ｘは、回転部品２２０と結合していることにより、回転部品２２０が第２回転位置から第１回転位置に回転する過程において、光源部品２４１が完全に露出した状態を形成しない。
【０１０７】
保護部品２５０および交換用保護部品２５０Ｘは、回転部品２２０が第１回転位置を取るとき、本体開口部２１６の全部を閉塞している。保護部品２５０は、回転部品２２０から分離される。本体開口部２１６は、保護部品２５０が回転部品２２０から分離された後においても交換用保護部品２５０Ｘにより閉塞されている。このため、保護部品２５０が交換されるときに光源部品２４１が作業主体に触れることが抑制される。
【０１０８】
（第３実施形態）
図２１〜図２４は、第３実施形態の光照射装置３００を示している。第３実施形態の光照射装置３００は、複数の構成部品、構成部分、機能部分、および機能空間（以下、「第３実施形態の構成要素」）を有する。第３実施形態の複数の構成要素は、第１実施形態の構成要素と同様または類似の構造および機能を有する。第３実施形態の光照射装置３００の説明は、第１実施形態の構成要素と同様または類似の構造および機能を有する第３実施形態の構成要素の説明の一部または全部を省略する。第３実施形態の光照射装置３００の説明は、第３実施形態の構成要素が第１実施形態の構成要素と同様または類似の構造および機能を有することを、「第３実施形態の構成要素は、第１実施形態の構成要素と対応している」と記述する。この記述は、互いに対応する構成要素同士の構造および機能が完全に一致する場合、および完全に一致しない場合の双方を含むことを意味している。
【０１０９】
第３実施形態の光照射装置３００は、次の点において第１実施形態の光照射装置１００と相違する。第１実施形態の光照射装置１００は、作業主体から入力される力により交換用保護部品１７０Ｘが部品組付位置に配置される構造を有する。一方、第３実施形態の光照射装置３００は、重力により交換用保護部品３６０Ｘ（図２５参照）が部品組付位置に配置される構造を有する。
【０１１０】
光照射装置３００は、図２１および図２３に示される構造を有する。光照射装置３００は、複数の構成部品を有する。光照射装置３００の複数の構成部品は、一例として、本体部品３１０、２つの交換用支持部３３０、照射部３５０の構成部品、保護部品３６０、および２つの遮光部品３７０を含む。光照射装置３００は、構成部品の一部として形成された機能部分を有する。光照射装置３００の機能部分は、本体開口部３１６を含む。光照射装置３００は、構成部品により形成された複数の機能空間を有する。光照射装置３００の複数の機能空間は、内部空間３０１および２つの交換穴３４０を含む。光照射装置３００は、第１実施形態の移動方向規制構造に相当する構造を有していない。
【０１１１】
本体部品３１０は、図２１〜図２４に示される構造を有する。本体部品３１０は、第１実施形態の本体部品３１０と対応している。本体部品３１０は、複数の構成部分を有する。本体部品３１０の複数の構成部分は、第１本体側壁３１１、第２本体側壁３１２、第３本体側壁３１３、第４本体側壁３１４、および本体底壁３１５を含む。本体部品３１０は、構成部分の一部により形成された機能部分を有する。本体部品３１０の機能部分は、本体開口部３１６を含む。本体部品３１０は、構成部分により形成された複数の機能空間を有する。本体部品３１０の複数の機能空間は、内部空間３０１および２つの交換穴３４０を含む。
【０１１２】
第１本体側壁３１１は、第１実施形態の第１本体側壁１１１と対応している。第２本体側壁３１２は、第１実施形態の第２本体側壁１１２と対応している。第３本体側壁３１３は、第１実施形態の第３本体側壁１１３と対応している。第４本体側壁３１４は、第１実施形態の第４本体側壁１１４と対応している。本体底壁３１５は、第１実施形態の本体底壁１１５と対応している。本体開口部３１６は、第１実施形態の本体開口部１１６と対応している。内部空間３０１は、第１実施形態の内部空間１０１と対応している。
【０１１３】
保持用支持部３２０は、図２１および図２３に示される構造を有する。保持用支持部３２０は、第１実施形態の本体裏側枠部１１０Ｂと対応している。保持用支持部３２０は、各本体側壁３１１〜３１４と結合されている。保持用支持部３２０は、本体部品３１０の高さ方向において交換用支持部３３０よりも照射部３５０側に形成されている。保持用支持部３２０は、保護部品３６０を支持している。
【０１１４】
交換用支持部３３０は、図２２および図２３に示される構造を有する。交換用支持部３３０は、四角柱形状を有する。交換用支持部３３０は、本体部品３１０の一部を構成している。交換用支持部３３０は、支持部３３０の底面、支持部３３０の頂面、およびスライド構造（図示略）を有する。一方の交換用支持部３３０のスライド構造は、本体部品３１０の幅方向において交換用支持部３３０を第１本体側壁３１１に対して移動させる。一方の交換用支持部３３０は、スライド構造を有することにより、第１本体側壁３１１に支持されている。他方の交換用支持部３３０のスライド構造は、本体部品３１０の幅方向において交換用支持部３３０を第２本体側壁３１２に対して移動させる。他方の交換用支持部３３０は、スライド構造を有することにより、第２本体側壁３１２に支持されている。
【０１１５】
交換用支持部３３０は、第１本体側壁３１１または第２本体側壁３１２に対して少なくとも第１可動位置および第２可動位置を取る。第１可動位置（図２５参照）は、交換用支持部３３０の一部が第１本体側壁３１１または第２本体側壁３１２の内面から内部空間３０１に突出した位置を示す。第２可動位置（図２７参照）は、交換用支持部３３０が第１本体側壁３１１または第２本体側壁３１２の内面から内部空間３０１に突出していない位置を示す。
【０１１６】
交換穴３４０は、図２２および図２３に示される構造を有する。一方の交換穴３４０は、第１本体側壁３１１を貫通している。他方の交換穴３４０は、第２本体側壁３１２を貫通している。交換穴３４０は、保護部品３６０と隣り合う位置に形成されている。交換穴３４０は、保護部品３６０が交換穴３４０を通過することが可能な大きさを有する。
【０１１７】
照射部３５０は、図２３に示される構造を有する。照射部３５０は、内部空間３０１に配置されている。照射部３５０は、本体底壁３１５上に配置されている。照射部３５０は、複数の機能部品を有する。照射部３５０の複数の機能部品は、９個の光源部品３５１および回路基板３５２を含む。光源部品３５１は、第１実施形態の光源部品１６１と対応している。回路基板３５２は、第１実施形態の回路基板１６２と対応している。
【０１１８】
保護部品３６０は、図２１〜図２３に示される構造を有する。保護部品３６０は、第１実施形態の保護部品１７０と対応している。保護部品３６０は、保持用支持部３２０と交換用支持部３３０との間に配置されている。保護部品３６０は、本体部品３１０に対する移動が可能な構造を有する。保護部品３６０は、本体部品３１０に対して部品組付位置を取る。部品組付位置は、保護部品３６０が本体開口部３１６の全部を閉塞する位置を示す。保護部品３６０は、本体部品３１０と協同して機能する複数の機能部分を有する。保護部品３６０の複数の機能部分は、第１支持端部３６０Ａおよび第２支持端部３６０Ｂを含む。保護部品３６０は、複数の面を有する。保護部品３６０の複数の面は、保護部品表面３６１、保護部品裏面３６２、第１支持側面３６３、第２支持側面３６４、第１案内側面３６５、および第２案内側面３６６を含む。
【０１１９】
第１支持端部３６０Ａおよび第２支持端部３６０Ｂは、保持用支持部３２０上に配置されている。第１支持端部３６０Ａおよび第２支持端部３６０Ｂは、支持部３３０の底面および遮光部品３７０の側面と接触している。
【０１２０】
保護部品表面３６１は、第１実施形態の保護部品表面１７１と対応している。保護部品裏面３６２は、第１実施形態の保護部品裏面１７２と対応している。第１支持側面３６３は、第１実施形態の第１支持側面１７３と対応している。第２支持側面３６４は、第１実施形態の第２支持側面１７４と対応している。第１案内側面３６５は、第１実施形態の第１規制側面１７５と対応している。第２案内側面３６６は、第１実施形態の第２規制側面１７６と対応している。
【０１２１】
遮光部品３７０は、図２２および図２３に示される構造を有する。遮光部品３７０は、第１実施形態の遮光部品１８０と対応している。一方の遮光部品３７０は、第１本体側壁３１１の交換穴３４０に嵌め込まれている。一方の遮光部品３７０は、第１本体側壁３１１との結合および分離が可能な構造を有する。他方の遮光部品３７０は、第２本体側壁３１２の交換穴３４０に嵌め込まれている。他方の遮光部品３７０は、第２本体側壁３１２との結合および分離が可能な構造を有する。
【０１２２】
光照射装置３００は、少なくとも２種類の製造方法により提供される。部品組付製造方法は、保護部品３６０が組み付けられていない本体部品３１０を用いて光照射装置３００を製造する方法を示す。部品交換製造方法は、保護部品３６０が組み付けられている本体部品３１０を用い、保護部品３６０を交換用保護部品３６０Ｘ（図２５参照）に交換して光照射装置３００を製造する方法を示す。保護部品３６０および交換用保護部品３６０Ｘは、作業主体の力により各種の動作を生じる。作業主体は、作業者または作業用の装置を示す。
【０１２３】
部品組付製造方法の１番目の工程は、次の作業を含む。照射部３５０の構成部品は、単体の本体部品３１０に組み付けられる。単体の本体部品３１０は、図２３に示される本体部品３１０から照射部３５０、保護部品３６０、および遮光部品３７０が省略された構造を有する。
【０１２４】
部品組付製造方法の２番目の工程は、次の作業を含む。交換用支持部３３０は、第２可動位置を取る。保護部品３６０は、本体開口部３１６に挿入される。保護部品３６０は、保持用支持部３２０上に配置される。交換用支持部３３０は、第２可動位置から第１可動位置に移動させられる。保護部品３６０は、交換用支持部３３０が第１可動位置を取るとき、本体部品３１０の高さ方向において保持用支持部３２０および交換用支持部３３０に挟み込まれている。
【０１２５】
部品組付製造方法の３番目の工程は、次の作業を含む。遮光部品３７０は、交換穴３４０に嵌め込まれる。光照射装置３００は、保護部品３６０および遮光部品３７０が本体部品３１０に組み付けられたことにより完成する。
【０１２６】
部品交換製造方法は、一例として、図２５〜図２８に示される複数の工程を含む。部品交換製造方法の複数の工程は、第１製造工程（図２５）、第２製造工程（図２６）、第３製造工程（図２７）、および第４製造工程（図２８）を含む。交換用保護部品３６０Ｘは、保護部品３６０と同一の構造を有する。部品交換方法の説明は、交換用保護部品３６０Ｘの各部分に対して保護部品３６０と同一の符号を用いる。
【０１２７】
第１製造工程（図２５）は、次の作業を含む。一方の遮光部品３７０は、第１本体側壁３１１から分離される。他方の遮光部品３７０は、第２本体側壁３１２から分離される。交換用保護部品３６０Ｘは、本体開口部３１６に挿入される。交換用保護部品３６０Ｘは、交換用支持部３３０上に配置される。保護部品３６０および交換用保護部品３６０Ｘは、本体部品３１０の高さ方向において互いに対向している。
【０１２８】
第２製造工程（図２６）は、次の作業を含む。保護部品３６０は、一例として、第２本体側壁３１２の交換穴３４０から挿入された工具により第１本体側壁３１１の交換穴３４０に向けて押される。保護部品３６０は、第１本体側壁３１１の交換穴３４０に向けて押されることにより、本体部品３１０の幅方向において本体部品３１０に対して移動する。保護部品３６０は、本体部品３１０に対して移動しているとき、保持用支持部３２０および第１本体側壁３１１により支持されている。保護部品３６０は、本体部品３１０に対して移動することにより、第１本体側壁３１１の外面から本体部品３１０の外部に突出する。保護部品３６０は、本体部品３１０から抜き取られる。交換用保護部品３６０Ｘは、保護部品３６０が本体部品３１０から分離されることにより、新たな保護部品３６０として機能する。交換用保護部品３６０Ｘは、保護部品３６０が本体部品３１０に対して移動して本体部品３１０から抜き取られるまでの過程において、本体開口部３１６を閉塞している。
【０１２９】
第３製造工程（図２７）は、次の作業を含む。交換用支持部３３０は、第１可動位置から第２可動位置に移動させられる。保護部品３６０としての交換用保護部品３６０Ｘは、交換用支持部３３０が第２可動位置を取るとき、重力により保持用支持部３２０に向けて移動する。保護部品３６０としての交換用保護部品３６０Ｘは、保持用支持部３２０上に配置される。保護部品３６０としての交換用保護部品３６０Ｘは、交換用支持部３３０が移動させられてから保持用支持部３２０上に配置されるまでの過程において、本体開口部３１６を閉塞している。
【０１３０】
第４製造工程（図２８）は、次の作業を含む。交換用支持部３３０は、第２可動位置から第１可動位置に移動させられる。保護部品３６０としての交換用保護部品３６０Ｘは、交換用支持部３３０が第１可動位置を取るとき、保持用支持部３２０および交換用支持部３３０により挟み込まれる。一方の遮光部品３７０は、第１本体側壁３１１の交換穴３４０に嵌め込まれる。他方の遮光部品３７０は、第２本体側壁３１２の交換穴３４０に嵌め込まれる。光照射装置３００は、保護部品３６０が交換用保護部品３６０Ｘに交換され、遮光部品３７０が本体部品３１０に組み付けられたことにより完成する。
【０１３１】
光照射装置３００は、以下の作用および効果を奏する。
光照射装置３００は、上記のとおり、図２５〜図２８に示される部品交換製造方法により製造される。交換用支持部３３０は、保護部品３６０を交換する作業が開始される前において、第１可動位置を取る。交換用保護部品３６０Ｘは、第１可動位置を取る交換用支持部３３０に載せられる。交換用保護部品３６０Ｘは、交換用支持部３３０に載せられることにより、本体開口部３１６を閉塞する。保護部品３６０は、交換穴３４０を介して本体部品３１０の外部に抜き取られる。
【０１３２】
交換用支持部３３０は、第１可動位置から第２可動位置に移動させられる。交換用支持部３３０は、第２可動位置を取るとき、交換用保護部品３６０Ｘを支持することができない。このため、交換用保護部品３６０Ｘは、保持用支持部３２０に向けて移動する。本体開口部３１６は、保護部品３６０が交換穴３４０から抜き取られた後においても交換用保護部品３６０Ｘにより閉塞されている。このため、保護部品３６０が交換されるときに光源部品３５１が作業主体に触れることが抑制される。
【０１３３】
（その他の実施形態）
本光照射装置は、第１実施形態〜第３実施形態とは異なるその他の実施形態を含む。その他の実施形態は、一例として、以下に示される第１実施形態〜第３実施形態の変形例としての形態を有する。なお、以下の各変形例は、技術的に矛盾しない範囲において互いに組み合わせることができる。
【０１３４】
・第１実施形態の本体部品１１０は、本体表側枠部１１０Ａを有する。ただし、本体部品１１０の構造は、第１実施形態に例示された内容に限られない。変形例の本体部品１１０は、本体表側枠部１１０Ａを構成する４つの辺のうちの少なくとも１つの辺を省略している。
【０１３５】
・第１実施形態の本体部品１１０は、本体裏側枠部１１０Ｂを有する。ただし、本体部品１１０の構造は、第１実施形態に例示された内容に限られない。変形例の本体部品１１０は、本体裏側枠部１１０Ｂを構成する４つの辺のうちの少なくとも１つの辺を省略している。
【０１３６】
・第１実施形態の第１支持部１４０は、第１側壁内支持部１４１および第１枠部内支持部１４２を有する。ただし、第１支持部１４０の構造は、第１実施形態に例示された内容に限られない。変形例の第１支持部１４０は、第１側壁内支持部１４１を有し、第１枠部内支持部１４２を有していない。別の変形例の第１支持部１４０は、第１枠部内支持部１４２を有し、第１側壁内支持部１４１を有していない。なお、第２支持部１５０においても同様の変形が成立する。
【０１３７】
・第１実施形態の保護部品１７０は、部品組付位置を取るとき、第１支持端部１７０Ａが第１交換穴１２１に挿入されている。ただし、保護部品１７０の構造は、第１実施形態に例示された内容に限られない。変形例の保護部品１７０は、部品組付位置を取るとき、第１支持端部１７０Ａが第１交換穴１２１に挿入されていない。この保護部品１７０は、第１本体側壁１１１の内面が存在する仮想平面上に第１支持側面１７３を有する。
【０１３８】
・第１実施形態の保護部品１７０は、部品組付位置を取るとき、第２支持端部１７０Ｂが第２交換穴１３１に挿入されている。ただし、保護部品１７０の構造は、第１実施形態に例示された内容に限られない。変形例の保護部品１７０は、部品組付位置を取るとき、第２支持端部１７０Ｂが第２交換穴１３１に挿入されていない。この保護部品１７０は、第２本体側壁１１２の内面が存在する仮想平面上に第２支持側面１７４を有する。
【０１３９】
・第１実施形態の光照射装置１００は、遮光部品１８０を有する。ただし、光照射装置１００の構成部品は、第１実施形態に例示された内容に限られない。変形例の光照射装置１００は、遮光部品１８０を省略している。この変形例の光照射装置１００の保護部品１７０は、部品組付位置を取るとき、第１実施形態の第１交換穴１２１および第２交換穴１３１において遮光部品１８０が存在していた空間を埋める。この光照射装置１００の部品交換製造方法は、交換用保護部品１７０Ｘが部品組付位置を取ることにより、保護部品１７０を本体部品１１０から押し出す。
【０１４０】
・第１実施形態の本体部品１１０は、第１案内溝１１７および第２案内溝１１８を有する。第１実施形態の保護部品１７０は、第１方向規制部１７７および第２方向規制部１７８を有する。ただし、本体部品１１０および保護部品１７０の構造は、第１実施形態に例示された内容に限られない。変形例の本体部品１１０は、第１案内溝１１７および第２案内溝１１８を省略している。変形例の保護部品１７０は、第１方向規制部１７７および第２方向規制部１７８を省略している。
【０１４１】
・第１実施形態の本体部品１１０は、中空の四角柱形状を有する。ただし、本体部品１１０の形状は、第１実施形態に例示された内容に限られない。変形例の本体部品は、一例として、円筒形状を有する。なお、第２実施形態の本体部品２１０および第３実施形態の本体部品３１０においても同様の変形が成立する。
【０１４２】
・第１実施形態の光照射装置１００は、９個の光源部品１６１を有する。ただし、光源部品１６１の個数は、第１実施形態に例示された内容に限られない。変形例の光照射装置１００は、１個〜８個のいずれかの個数、または１０個以上のいずれかの個数の光源部品１６１を有する。なお、第２実施形態の光照射装置２００および第３実施形態の光照射装置３００においても同様の変形が成立する。
【０１４３】
・第１実施形態の光照射装置１００は、光源部品１６１としてＬＥＤを有する。ただし、光源部品１６１の種類は、第１実施形態に例示された内容に限られない。変形例の光照射装置１００は、光源部品として、キセノンフラッシュランプ、レーザー、または有機ＥＬを有する。なお、第２実施形態の光照射装置２００および第３実施形態の光照射装置３００においても同様の変形が成立する。
【０１４４】
・第１実施形態の光照射装置１００は、電源を内蔵していない。ただし、光照射装置１００の構成部品は、第１実施形態に例示された内容に限られない。変形例の光照射装置１００は、一例として、電源を有する。本体部品１１０は、電源を収容する部分を有する。電源は、回路基板１６２に電力を供給する。なお、第２実施形態の光照射装置２００および第３実施形態の光照射装置３００においても同様の変形が成立する。
【０１４５】
・第１実施形態の光照射装置１００の部品交換製造方法は、第１交換穴１２１から交換用保護部品１７０Ｘを挿入する。ただし、部品交換製造方法の内容は、第１実施形態に例示された内容に限られない。変形例の部品交換製造方法は、第２交換穴１３１から交換用保護部品１７０Ｘを挿入する。なお、この変形例の光照射装置１００は、移動方向規制構造を省略している、または変形移動方向規制構造を有する。変形移動方向規制構造は、本体部品１１０に対する保護部品１７０および交換用保護部品１７０Ｘの移動方向を第１実施形態の移動方向規制構造とは反対の方向に規制する。
【０１４６】
・第２実施形態の光照射装置２００は、固定部品２３０を有する。ただし、光照射装置２００の構成部品は、第２実施形態に例示された内容に限られない。変形例の光照射装置２００は、固定部品２３０を省略している。この変形例の光照射装置２００の保護部品１７０は、固定部品２３０の回転を規制する別の部品または構造を有する。
【０１４７】
・第２実施形態の回転部品２２０は、第１回転部品結合部２２１の穴および第２回転部品結合部２２２の穴が互いに連続した構造を有する。ただし、回転部品２２０の構造は、第２実施形態に例示された内容に限られない。変形例の回転部品２２０は、第１回転部品結合部２２１の穴と第２回転部品結合部２２２の穴との間に壁を有する。
【０１４８】
・第２実施形態の回転部品２２０は、２つの第１回転部品結合部２２１および２つの第２回転部品結合部２２２を有する。ただし、第１回転部品結合部２２１および第２回転部品結合部２２２の数は、第２実施形態に例示された内容に限られない。変形例の回転部品２２０は、１つまたは３つ以上のいずれかの数の第１回転部品結合部２２１および第２回転部品結合部２２２を有する。
【０１４９】
・第２実施形態の光照射装置２００の部品交換製造方法は、第１回転位置を取る回転部品２２０に固定部品２３０を結合することにより、光照射装置２００を完成させる。ただし、部品交換製造方法の内容は、第２実施形態に例示された内容に限られない。変形例の部品交換製造方法は、第２回転位置を取る回転部品２２０に固定部品２３０を結合することにより、光照射装置２００を完成させる。
【０１５０】
・第３実施形態の本体部品３１０は、２つの交換穴３４０を有する。ただし、本体部品３１０の構造は、第３実施形態に例示された内容に限られない。変形例の本体部品３１０は、２つの交換穴３４０の一方を省略している。
【０１５１】
・第３実施形態の光照射装置３００は、交換用支持部３３０を本体部品３１０に対して移動させるためのアクチュエーターを有していない。ただし、光照射装置３００の構造は、第３実施形態に例示された内容に限られない。変形例の光照射装置３００は、交換用支持部３３０を移動させるためのアクチュエーターを有する。
【０１５２】
・第３実施形態の光照射装置３００は、遮光部品３７０を有する。ただし、光照射装置３００の構成部品は、第３実施形態に例示された内容に限られない。変形例の光照射装置３００は、遮光部品３７０を省略している。この光照射装置３００の保護部品３６０は、部品組付位置を取るとき、第３実施形態の交換穴３４０において遮光部品３７０が存在していた空間を埋める。
【０１５３】
・第３実施形態の光照射装置３００の部品交換製造方法は、保護部品３６０を第１本体側壁３１１の交換穴３４０から抜き出す。ただし、部品交換製造方法の内容は、第３実施形態に例示された内容に限られない。変形例の部品交換製造方法は、保護部品３６０を第２本体側壁３１２の交換穴３４０から抜き出す。この製造方法は、第３実施形態の部品製造方法と同様の作用および効果を奏する。
【０１５４】
（課題を解決するための手段に関する付記）
課題を解決するための手段は、下記の［付記手段１］〜［付記手段６］を含む。なお、［付記手段１］〜［付記手段６］が有する事項は、実施形態において開示された事項と対応している。
【０１５５】
［付記手段１］
付記手段１は、光照射装置の製造方法を提供する。前記光照射装置は、本体部品、光源部品、保護部品、内部空間、支持部、第１交換穴、および第２交換穴を有し、前記保護部品の交換が可能な構造を有する。前記本体部品は、本体側壁および本体開口部を有する。前記本体側壁は、前記内部空間を形成している。前記本体開口部は、前記本体側壁の一部を構成し、前記内部空間を外部に開放している。前記光源部品は、前記内部空間に配置されている。前記支持部は、前記本体側壁の一部を構成する部分、および前記本体側壁に結合された部分の少なくとも一方を有する。前記保護部品は、前記本体開口部を閉塞し、前記本体部品との結合および分離が可能な構造を有する。前記第１交換穴は、前記本体側壁を貫通し、前記保護部品と隣り合う位置に形成され、前記保護部品が通過することが可能な大きさを有する。前記第２交換穴は、前記本体側壁を貫通し、前記保護部品と隣り合う位置に形成され、前記保護部品を介して前記第１交換穴と対向する位置に形成され、前記保護部品が通過することが可能な大きさを有する。前記光照射装置の製造方法は、次の工程を含む。第１工程は、前記保護部品が組み付けられていない前記本体部品の前記第１交換穴および前記第２交換穴の一方に前記保護部品を挿入する。第２工程は、前記第１交換穴および前記第２交換穴の一方に挿入された前記保護部品を前記第１交換穴および前記第２交換穴の他方に向けて移動させ、前記保護部品を部品組付位置まで移動させる。
【０１５６】
［付記手段２］
付記手段２は、光照射装置の製造方法を提供する。前記光照射装置は、本体部品、光源部品、保護部品、内部空間、支持部、第１交換穴、および第２交換穴を有し、前記保護部品の交換が可能な構造を有する。前記本体部品は、本体側壁および本体開口部を有する。前記本体側壁は、前記内部空間を形成している。前記本体開口部は、前記本体側壁の一部を構成し、前記内部空間を外部に開放している。前記光源部品は、前記内部空間に配置されている。前記支持部は、前記本体側壁の一部を構成する部分、および前記本体側壁に結合された部分の少なくとも一方を有する。前記保護部品は、前記本体開口部を閉塞し、前記本体部品との結合および分離が可能な構造を有する。前記第１交換穴は、前記本体側壁を貫通し、前記保護部品と隣り合う位置に形成され、前記保護部品が通過することが可能な大きさを有する。前記第２交換穴は、前記本体側壁を貫通し、前記保護部品と隣り合う位置に形成され、前記保護部品を介して前記第１交換穴と対向する位置に形成され、前記保護部品が通過することが可能な大きさを有する。前記光照射装置の製造方法は、次の工程を含む。第１工程は、前記保護部品が組み付けられている前記本体部品の前記第１交換穴および前記第２交換穴の一方に交換用保護部品を挿入する。第２工程は、前記第１交換穴および前記第２交換穴の一方に挿入された前記交換用保護部品を前記保護部品に押し付ける。第３工程は、前記交換用保護部品および前記保護部品を前記本体部品に対して移動させ、前記交換用保護部品を部品組付位置まで移動させる。
【０１５７】
［付記手段３］
付記手段３は、光照射装置の製造方法を提供する。前記光照射装置は、本体部品、光源部品、保護部品、内部空間、および回転部品を有し、前記保護部品の交換が可能な構造を有する。前記本体部品は、本体側壁および本体開口部を有する。前記本体側壁は、前記内部空間を形成している。前記本体開口部は、前記本体側壁の一部を構成し、前記内部空間を外部に開放している。前記光源部品は、前記内部空間に配置されている。前記保護部品は、前記本体開口部を閉塞し、保護部品結合部を有し、前記保護部品結合部において前記回転部品と結合し、前記回転部品との分離が可能な構造を有する。前記回転部品は、前記本体側壁に支持され、前記本体部品に対して回転し、前記本体部品に対して少なくとも第１回転位置および第２回転位置を取り、前記保護部品を支持する。前記回転部品は、第１回転部品結合部および第２回転部品結合部を有し、前記回転部品の周方向において前記回転部品の回転中心線を介して互いに対向する位置に前記第１回転部品結合部および前記第２回転部品結合部を有する。前記回転部品は、前記第１回転部品結合部および前記第２回転部品結合部の一方において前記保護部品結合部と結合する。前記第１回転位置は、前記本体開口部の全部が前記保護部品により閉塞され、前記保護部品が前記回転部品よりも前記本体部品の外部側に配置される位置を示す。前記第２回転位置は、前記本体開口部の全部が前記保護部品により閉塞され、前記第１回転部品結合部および前記第２回転部品結合部のうちの前記保護部品が結合されていない結合部が前記本体部品の外部に面する位置を示す。前記光照射装置の製造方法は、次の工程を含む。第１工程は、前記保護部品が結合されていない前記回転部品の前記第１回転部品結合部および前記第２回転部品結合部の一方を前記本体部品の外部側に保持する。第２工程は、前記第１回転部品結合部および前記第２回転部品結合部の一方に前記保護部品を結合する。
【０１５８】
［付記手段４］
付記手段４は、光照射装置の製造方法を提供する。前記光照射装置は、本体部品、光源部品、保護部品、内部空間、および回転部品を有し、前記保護部品の交換が可能な構造を有する。前記本体部品は、本体側壁および本体開口部を有する。前記本体側壁は、前記内部空間を形成する。前記本体開口部は、前記本体側壁の一部を構成し、前記内部空間を外部に開放する。前記光源部品は、前記内部空間に配置されている。前記保護部品は、前記本体開口部を閉塞し、保護部品結合部を有し、前記保護部品結合部において前記回転部品と結合し、前記回転部品との分離が可能な構造を有する。前記回転部品は、前記本体側壁に支持され、前記本体部品に対して回転し、前記本体部品に対して少なくとも第１回転位置および第２回転位置を取り、前記保護部品を支持する。前記回転部品は、第１回転部品結合部および第２回転部品結合部を有し、前記回転部品の周方向において前記回転部品の回転中心線を介して互いに対向する位置に前記第１回転部品結合部および前記第２回転部品結合部を有する。前記回転部品は、前記第１回転部品結合部および前記第２回転部品結合部の一方において前記保護部品結合部と結合する。前記第１回転位置は、前記本体開口部の全部が前記保護部品により閉塞され、前記保護部品が前記回転部品よりも前記本体部品の外部側に配置される位置を示す。前記第２回転位置は、前記本体開口部の全部が前記保護部品により閉塞され、前記第１回転部品結合部および前記第２回転部品結合部のうちの前記保護部品が結合されていない結合部が前記本体部品の外部に面する位置を示す。前記光照射装置の製造方法は、次の工程を含む。第１工程は、前記第１回転部品結合部に前記保護部品が結合されている前記回転部品の回転位置を前記第２回転位置に保持する。第２工程は、前記第２回転位置に保持されている前記回転部品の前記第２回転部品結合部に交換用保護部品を結合する。第３工程は、前記交換用保護部品が結合された前記回転部品の回転位置を前記第２回転位置から前記第１回転位置に変更し、前記保護部品を前記回転部品から分離する。
【０１５９】
［付記手段５］
付記手段５は、光照射装置の製造方法を提供する。前記光照射装置は、本体部品、光源部品、保護部品、内部空間、交換用支持部、保持用支持部、および交換穴を有し、前記保護部品の交換が可能な構造を有する。前記本体部品は、本体側壁および本体開口部を有する。前記本体側壁は、前記内部空間を形成している。前記本体開口部は、前記本体側壁の一部を構成し、前記内部空間を外部に開放している。前記光源部品は、前記内部空間に配置されている。前記交換用支持部は、前記本体側壁に支持され、前記本体側壁に対して移動し、前記本体部品に対して少なくとも第１可動位置および第２可動位置を取る。前記第１可動位置は、前記交換用支持部の少なくとも一部が前記本体側壁の内面から前記内部空間に突出した位置を示す。前記第２可動位置は、前記交換用支持部が前記本体側壁の内面から前記内部空間に突出していない位置を示す。前記保持用支持部は、前記本体側壁の一部を構成する部分、および前記本体側壁に結合された部分の少なくとも一方を有し、前記交換用支持部よりも前記光源部品側に形成され、前記保護部品を支持する。前記保護部品は、前記本体開口部を閉塞し、前記本体部品との結合および分離が可能な構造を有する。前記交換穴は、前記本体側壁を貫通し、前記保護部品と隣り合う位置に形成され、前記保護部品が通過することが可能な大きさを有する。前記光照射装置の製造方法は、次の工程を含む。第１工程は、前記保護部品が組み付けられていない前記本体部品の前記交換用支持部を前記第１可動位置に保持する。第２工程は、前記第１可動位置に保持された前記交換用支持部に前記保護部品を載せる。第３工程は、前記保護部品が載せられた前記交換用支持部を前記第１可動位置から前記第２可動位置に移動させることにより、前記保護部品を前記保持用支持部に載せる。
【０１６０】
［付記手段６］
付記手段６は、光照射装置の製造方法を提供する。前記光照射装置は、本体部品、光源部品、保護部品、内部空間、交換用支持部、保持用支持部、および交換穴を有し、前記保護部品の交換が可能な構造を有する。前記本体部品は、本体側壁および本体開口部を有する。前記本体側壁は、前記内部空間を形成している。前記本体開口部は、前記本体側壁の一部を構成し、前記内部空間を外部に開放している。前記光源部品は、前記内部空間に配置されている。前記交換用支持部は、前記本体側壁に支持され、前記本体側壁に対して移動し、前記本体部品に対して少なくとも第１可動位置および第２可動位置を取る。前記第１可動位置は、前記交換用支持部の少なくとも一部が前記本体側壁の内面から前記内部空間に突出した位置を示す。前記第２可動位置は、前記交換用支持部が前記本体側壁の内面から前記内部空間に突出していない位置を示す。前記保持用支持部は、前記本体側壁の一部を構成する部分、および前記本体側壁に結合された部分の少なくとも一方を有し、前記交換用支持部よりも前記光源部品側に形成され、前記保護部品を支持する。前記保護部品は、前記本体開口部を閉塞し、前記本体部品との結合および分離が可能な構造を有する。前記交換穴は、前記本体側壁を貫通し、前記保護部品と隣り合う位置に形成され、前記保護部品が通過することが可能な大きさを有する。前記光照射装置の製造方法は、次の工程を含む。第１工程は、前記保護部品が組み付けられている前記本体部品の前記交換用支持部を前記第１可動位置に保持する。第２工程は、前記第１可動位置に保持された前記交換用支持部に交換用保護部品を載せる。第３工程は、前記保護部品を前記交換穴から抜き取ることにより前記保護部品を前記本体部品から分離する。第４工程は、前記交換用保護部品が載せられた前記交換用支持部を前記第１可動位置から前記第２可動位置に移動させることにより、前記交換用保護部品を前記保持用支持部に載せる。
【符号の説明】
【０１６１】
１００…光照射装置、１０１…内部空間
１１０…本体部品、１１０Ａ…本体表側枠部、１１０Ｂ…本体裏側枠部、１１１…第１本体側壁、１１２…第２本体側壁、１１３…第３本体側壁、１１４…第４本体側壁、１１５…本体底壁、１１６…本体開口部、１１７…第１案内溝、１１８…第２案内溝
１２０…第１交換部、１２１…第１交換穴
１３０…第２交換部、１３１…第２交換穴
１４０…第１支持部、１４１…第１側壁内支持部、１４２…第１枠部内支持部
１５０…第２支持部、１５１…第２側壁内支持部、１５２…第２枠部内支持部
１６０…照射部、１６１…光源部品、１６２…回路基板
１７０…保護部品、１７０Ｘ…交換用保護部品、１７０Ａ…第１支持端部、１７０Ｂ…第２支持端部、１７１…保護部品表面、１７２…保護部品裏面、１７３…第１支持側面、１７４…第２支持側面、１７５…第１規制側面、１７６…第２規制側面、１７７…第１方向規制部、１７７Ａ…規制部段差部、１７７Ｂ…規制部傾斜部、１７８…第２方向規制部、１７８Ａ…規制部段差部、１７８Ｂ…規制部傾斜部
１８０…遮光部品
２００…光照射装置、２０１…内部空間、２０２…軸受部
２１０…本体部品、２１１…第１本体側壁、２１２…第２本体側壁、２１３…第３本体側壁、２１４…第４本体側壁、２１５…本体底壁、２１６…本体開口部、２１７…部品結合部
２２０…回転部品、２２１…第１回転部品結合部、２２２…第２回転部品結合部、２２３…軸端部、２２４…ねじ部
２３０…固定部品、２３１…壁用結合部、２３２…軸用結合部
２４０…照射部、２４１…光源部品、２４２…回路基板
２５０…保護部品、２５０Ｘ…交換用保護部品、２５１…第１側面、２５２…第２側面、２５３…第３側面、２５４…第４側面、２５５…保護部品表面、２５６…保護部品裏面、２５７…保護部品結合部
３００…光照射装置、３０１…内部空間、３１０…本体部品、３１１…第１本体側壁、３１２…第２本体側壁、３１３…第３本体側壁、３１４…第４本体側壁、３１５…本体底壁、３１６…本体開口部
３２０…保持用支持部
３３０…交換用支持部
３４０…交換穴
３５０…照射部、３５１…光源部品、３５２…回路基板
３６０…保護部品、３６０Ｘ…交換用保護部品、３６０Ａ…第１支持端部、３６０Ｂ…第２支持端部、３６１…保護部品表面、３６２…保護部品裏面、３６３…第１支持側面、３６４…第２支持側面、３６５…第１案内側面、３６６…第２案内側面
３７０…遮光部品
【図１】
2014146587.tif 000003
【図２】
2014146587.tif 000004
【図３】
2014146587.tif 000005
【図４】
2014146587.tif 000006
【図５】
2014146587.tif 000007
【図６】
2014146587.tif 000008
【図７】
2014146587.tif 000009
【図８】
2014146587.tif 000010
【図９】
2014146587.tif 000011
【図１０】
2014146587.tif 000012
【図１１】
2014146587.tif 000013
【図１２】
2014146587.tif 000014
【図１３】
2014146587.tif 000015
【図１４】
2014146587.tif 000016
【図１５】
2014146587.tif 000017
【図１６】
2014146587.tif 000018
【図１７】
2014146587.tif 000019
【図１８】
2014146587.tif 000020
【図１９】
2014146587.tif 000021
【図２０】
2014146587.tif 000022
【図２１】
2014146587.tif 000023
【図２２】
2014146587.tif 000024
【図２３】
2014146587.tif 000025
【図２４】
2014146587.tif 000026
【図２５】
2014146587.tif 000027
【図２６】
2014146587.tif 000028
【図２７】
2014146587.tif 000029
【図２８】
2014146587.tif 000030
【図２９】
2014146587.tif 000031
【図３０】
2014146587.tif 000032